(57)【要約】【課題】筋肉が凝った状態の部位に直接刺激を与えることなく、筋肉が凝った状態の部位とは異なる部位の動きを制限することで、凝った筋肉を緩めると共に、日常生活において違和感なく継続して装着することができる手の指支持具提供することを目的とする。【解決手段】手の指支持具の一例である指ホルダー１は、指通し部の一例であり、略環状に形成され、指を挿通可能な挿通孔２０を有する本体２と、本体２の挿通孔２０の開口方向における一方側の縁の一部に設けられた支持片３から成る。【選択図】図１
2019206765.tif 000002
【特許請求の範囲】
【請求項１】
手の指を挿通可能な指通し部と、
剛性又は準剛性を有し、前記指通し部の中心線と略平行な方向における、同指通し部の一方側の縁の一部から、前記指通し部の中心線と略平行、かつ中心線に接近する方向に所要の傾斜角度で延設された支持片とを備える
手の指支持具。
【請求項２】
前記支持片は、前記指通し部の一方側の縁の一部から前記中心線と略平行、かつ中心線に接近する方向に延設された基部と、
該基部の先端部から、前記中心線から離れる方向に延設され、同先端部から所定の角度で湾曲又は所定の角度で屈曲して形成された屈曲部とを有する
請求項１に記載の手の指支持具。
【請求項３】
前記指通し部の中心線が互いに略平行になるように、かつ前記指通し部を径方向につなげて、複数が連設されている
請求項１または請求項２に記載の手の指支持具。
【請求項４】
前記支持片の、前記指通し部の一方側の縁の一部に連続する部分は、弾性変形可能に設けられている
請求項１、請求項２又は請求項３に記載の手の指支持具。
【請求項５】
略円筒形状に形成された、手の指を挿通可能な指通し部を有し、該指通し部に挿通された指の腹側の領域から手のひらを含めた領域に装着可能な装着体と、
剛性又は準剛性を有し、前記装着体の前記指通し部において、手の指の腹側の付け根に対応する部分から、同指通し部の中心線と略平行、かつ手のひらの方向へ設けられた支持片とを備える
手の指支持具。
【発明の詳細な説明】
【技術分野】
【０００１】
本発明は手の指支持具に関する。詳しくは、筋肉が凝った状態の部位に直接刺激を与えることなく、筋肉が凝った状態の部位とは異なる部位の動きを制限することで、凝った筋肉を緩める場合において、日常生活において違和感なく継続して装着することができる手の指支持具に係るものである。
【背景技術】
【０００２】
筋肉の懲りから生じる痛みやだるさは、多くの人が日常的に感じるものである。この筋肉の懲りを改善するために、通常は、通院してマッサージなどの施術を受ける、薬を服用する、或いは市販のマッサージ器具を用いて直接患部及びその周辺の筋肉を緩めて懲りをほぐすことが行われている。
【０００３】
しかし、通院するには時間がかかり、薬を服用すると眠気などの副作用があり、日常生活に支障をきたす場合がある。一方で、市販のマッサージ器具を用いて自ら患部をマッサージすれば、時間もかからず、また副作用の心配もないので、これらの中では最も有用な対策といえる。
【０００４】
このような器具としては、特許文献１に示すように、頭の自重と指圧器の円弧状の動きを利用して首を指圧し、首筋のはり、肩こりを緩和させる「首の指圧器」が提案されている。これにより、指圧器に頭を乗せれば、ツボに垂直に力が加わり指圧の効果を得ることができる。
【０００５】
しかしながら、特許文献１に記載する「首の指圧器」では、首に指圧器を直接当接させることになるため、首に痛みがある場合には使用することがためらわれ、痛みを我慢して使用すると症状が悪化してしまうことも考えられる。
【０００６】
そこで、特許文献２に示すように、指を動かす筋肉を緩めるための「トレーニング用具及びトレーニング用具を用いたトレーニング方法」が考案されている。この発明は、直接痛みを感じる部位を押圧するなどして刺激を与えるのではなく、痛みを感じる部位とは異なる部位である指を動かす筋肉が過緊張状態になることを抑制することで、肩の筋肉を緩めて懲りをほぐすものである。
【先行技術文献】
【特許文献】
【０００７】
【特許文献１】特開２００６−２８８９８６号公報
【特許文献２】特開２０１６−  １３２７７号公報
【発明の概要】
【発明が解決しようとする課題】
【０００８】
しかしながら、特許文献２に記載する「トレーニング用具及びトレーニング用具を用いたトレーニング方法」では、トレーニング用具を装着したときには筋肉の過緊張状態が抑制されるが、常時装着することはできない。
【０００９】
また、特許文献２には、トレーニング用具を挟んで、てこの原理により肩付近の筋肉を伸ばす「トレーニング方法」が記載されているが、一般に筋肉が延ばされると、筋肉が緊張した状態となるため、肩の凝りは解消されない。
【００１０】
本発明は以上の点に鑑みて創案されたものであり、筋肉が凝った状態の部位に直接刺激を与えることなく、筋肉が凝った状態の部位とは異なる部位の動きを制限することで、凝った筋肉を緩める場合において、日常生活において違和感なく継続して装着することができる手の指支持具を提供することを目的とする。
【課題を解決するための手段】
【００１１】
上記課題を解決するために、本発明の手の指支持具は、手の指を挿通可能な指通し部と、剛性又は準剛性を有し、前記指通し部の中心線と略平行な方向における、同指通し部の一方側の縁の一部から、前記指通し部の中心線と略平行、かつ中心線に接近する方向に所要の傾斜角度で延設された支持片とを備える。
【００１２】
ここで、手指を挿通可能な指通し部によって、指通し部に手の指を挿通することで、手の指支持具を装着することができる。また、手の指に装着するだけであることから手の指の動きは多少制限されるが、実質的に日常作業を支障なく行うことができるので、継続して装着することができる。
【００１３】
また、支持片が剛性又は準剛性を有することにより、支持片の傾斜角度などの形状をほぼ一定に保つことができるので、手の指支持具を装着した際、支持片が手の指の手のひら側の付け根付近に当接して手のひら側から手の甲側へ向けて押圧する、指の支持に必要な押圧力を保つことができる。
【００１４】
そして、指通し部の中心線と略平行な方向における、指通し部の一方側の縁の一部から、指通し部の中心線と略平行、かつ中心線に接近する方向に所要の傾斜角度で延設された支持片によって、指通し部に指を挿通した際、支持片の先端が手の指の付け根付近に当接することで、手の指の付け根付近が手のひら側から手の甲側へ向けた方向に押圧されるので、手の指の第３関節が所定の角度よりも手のひら側に曲がることを抑制することができる。
【００１５】
即ち、手の指の第３関節が所定の角度以上に曲がらないようにすることで、直接首や肩に施術することなく、肩や首から離れた部位である指の動きを制限することができ、手から腕、腕から肩にかけての筋膜が緩み、これに伴って、肩や首周辺の筋膜で包まれた筋肉も緩むので、肩凝りが解消される。
【００１６】
また、支持片が指通し部の一方側の縁の一部から中心線と略平行、かつ中心線に接近する方向に延設された基部と、基部の先端部から、中心線から離れる方向に延設され、先端部から所定の角度で湾曲又は所定の角度で屈曲して形成された屈曲部とを有する場合には、支持片の屈曲部が、手の指の付け根付近へ当接することで、手の指の付け根付近への当たりをやわらげることができるので、長時間使用しても痛みを感じにくくなる。
【００１７】
また、指通し部の中心線が互いに略平行になるように、かつ指通し部を径方向につなげて、複数が連設されている場合には、複数の手の指のそれぞれに手の指支持具を装着することができ、より多くの手の指を、手のひら側に曲がりにくいようにすることができるので、手から腕、腕から肩にかけての筋膜がいっそう緩みやすくなり、これに伴って、肩や首周辺の筋膜で包まれた筋肉も緩むので、肩凝りが解消される。これにより、直接首や肩に施術することなく、肩凝り等の抑制効果がより高まることが期待できる。
【００１８】
また、支持片が、指通し部の一方側の縁の一部に連続する部分が、弾性変形可能に設けられている場合には、支持片の先端が、手の指の付け根付近へ当接する際、手の指の付け根付近の凹凸に応じて当接することができるので、手の指の付け根付近への過剰な当たりをやわらげることができ、長時間使用しても痛みを感じにくくなる。
【００１９】
また、上記課題を解決するために、本発明の手の指支持具は、略円筒形状に形成された、手の指を挿通可能な指通し部を有し、該指通し部に挿通された指の腹側の領域から手のひらを含めた領域に装着可能な装着体と、剛性又は準剛性を有し、前記装着体の前記指通し部において、手の指の腹側の付け根に対応する部分から、同指通し部の中心線と略平行、かつ手のひらの方向へ設けられた支持片とを備える。
【００２０】
ここで、略円筒形状に形成された、手の指を挿通可能な指通し部を有し、指通し部に挿通された指の腹側の領域から手のひらを含めた領域に装着可能な装着体によって、指通し部に手の指を挿通するだけで、容易に手の指支持具を手に装着することができる。
【００２１】
また、装着体の指通し部において、手の指の腹側の付け根に対応する部分から、指通し部の中心線と略平行、かつ手のひらの方向へ設けられた支持片によって、手の指の第３関節を手のひら側に曲がりにくいようにすることができるので、これに伴って、肩や首周辺の筋膜で包まれた筋肉も緩むので、肩凝りが解消される。これにより、直接首や肩に施術することなく、肩凝り等の抑制効果が高まることが期待できる。
【００２２】
また、支持片が剛性又は準剛性を有することにより、支持片の形状はほぼ一定に保たれるので、手の指支持具を手に装着した際、支持片が手の指の腹側の付け根付近に当接して、手の指の第３関節が手のひら側へ向けて曲がりにくくすることができる。
【発明の効果】
【００２３】
本発明に係る手の指支持具は、筋肉が凝った状態の部位に直接刺激を与えることなく、筋肉が凝った状態の部位とは異なる部位の動きを制限することで、凝った筋肉を緩める場合において、日常生活において違和感なく継続して装着することができる手の指支持具となっている。
【図面の簡単な説明】
【００２４】
【図１】本発明の第１の実施の形態に係る手の指支持具の斜視図である。
【図２】図１の手の指支持具の使用における作用を示す説明図である。
【図３】図１の手の指支持具を手に装着して、コップをつかんでいる使用状態を示す説明図である。
【図４】本発明の第２の実施の形態に係る手の指支持具の斜視図である。
【図５】本発明の第３の実施の形態に係る手の指支持具の説明図である。
【発明を実施するための形態】
【００２５】
〔第１の実施の形態〕
以下、本発明の手の指支持具について図１乃至図５を参照しながら説明し、本発明の理解に供する。
【００２６】
まず、手の指支持具の第１の実施の形態について図１乃至図３を用いて説明する。
手の指支持具の一例である指ホルダー１は、指通し部の一例であり、全体が硬質の合成樹脂で形成されており、剛性又は準剛性を有している。略環状に形成され、指を挿通可能な挿通孔２０を有する本体２と、本体２の挿通孔２０の開口方向における一方側の縁の一部に設けられた支持片３から成る。なお、指ホルダー１の材料は、硬質の合成樹脂に限られるものではなく、金属、木、プラスチック、紙など、他の材料が用いられてもよい。
【００２７】
本体２は、装着時に手の指の背側に位置する上面部２１、手の指の腹側に位置する下面部２２、及び上面部２１の端部から下面部２２の端部にかけて設けられた側面部２３、２４から成り、上面部２１、下面部２２及び側面部２３、２４は、それぞれなだらかな曲面を形成しながら連続して設けられ、略環状に形成されている。本体２の外径は約３０ｍｍであり、内径は約２０ｍｍに形成されている。本体２の上面部２１、下面部２２及び側面部２３、２４の、挿通孔２０の開口方向における幅は約１０ｍｍであり、厚みは約５ｍｍに形成されている。
【００２８】
また、本体２の、装着時に手の指の腹側であって、隣合う他の指と接する部分には、一部切り欠かれた切欠部２５、２５が設けられている。切欠部２５、２５は曲面状に切欠かれており、装着時に隣合う他の指が本体２に接する際、本体２が隣合う指に当接することで生じる痛みを抑制することができる。
【００２９】
そして、支持片３は、挿通孔２０の中心を通る中心線Ｃと略平行、かつ中心線Ｃに接近する方向に延設された、基部の一例である基片３０と、基片３０の先端３１から連続して、中心線Ｃから離れる方向に延設された、屈曲部の一例である屈曲片３２とから成る。
【００３０】
基片３０は、下面部２２の、挿通孔２０の開口方向における、一方側の縁２２０から約３０度の傾斜角度で、中心線Ｃに接近する方向に延設されている。基片３０の先端３１は中心線Ｃが通る位置に達することなく屈曲し、中心線Ｃから離れる方向に屈曲片３２が延設されている。
【００３１】
屈曲片３２は、基片３０の先端３１から約４０度の角度で屈曲しており、図２のように、支持片３を側面部２４側から見ると、略「へ」の字状に形成されている。
【００３２】
支持片３を、指の第３関節での屈曲を充分に支持できる限度を以て弾性変形可能な素材（例えば、ゴム素材など）で構成した場合には、支持片３の先端３１が、手の指の付け根付近へ当接する際、手の指の付け根付近の凹凸に応じて当接することができるので、手の指の付け根付近への過剰な当たりをやわらげることができ、長時間使用しても痛みを感じにくくなる。
【００３３】
次に、図２及び図３を用いて、本発明の第１の実施の形態に係る手の指支持具の使用について説明する。
【００３４】
図２に示すように、指ホルダー１の支持片３が装着時に人差し指Ｆ２の腹側に来るようにして、右手の人差し指Ｆ２を本体２の挿通孔２０に挿通させる。人差し指Ｆ２の付け根付近の領域Ｆ６まで指ホルダー１を移動させて、人差し指Ｆ２に指ホルダー１を装着する。
【００３５】
このとき、支持片３の屈曲片３２は、人差し指Ｆ２の腹側の付け根付近から連続する手のひらの領域Ｆ７に当接し、手のひらの領域Ｆ７を手のひら側から手の甲側へ向けて押圧する。なお、指ホルダー１は剛性又は準剛性を有するので、支持片３は装着時に容易に変形することなく約３０度の傾斜角度保つことができるため、装着時において、支持片３が手のひらの領域Ｆ７を、指の屈曲の抑制に必要な押圧する押圧力を一定に保つことができる。
【００３６】
このように、支持片３の屈曲片３２が手のひらの領域Ｆ７を手のひら側から手の甲側へ押圧するため、人差し指Ｆ２を上下に動かした際に、人差し指Ｆ２は、可動可能な角度である可動角度θの範囲内でのみ動かすことができる。可動角度θよりも大きな角度で曲げようとすると、硬質の合成樹脂で作られた本体２と支持片３により人差し指Ｆ２の動きは制限され、人差し指Ｆ２の第３関節から曲げにくくなる。このため、指ホルダー１を装着している間は、人差し指Ｆ２は、通常よりも伸びた状態に保たれる。
【００３７】
例えば、図３に示すように、コップＣＰを把持する際にも人差し指Ｆ２は、通常よりもやや伸びた状態となり、人差し指Ｆ２の先端はコップＣＰの表面に接することはなく、表面から離れた位置にあるが、親指Ｆ１、中指Ｆ３、薬指Ｆ４、小指Ｆ５は通常通りに用いることができるので、支障なくコップＣＰを把持することができる。
【００３８】
また、人差し指Ｆ２が通常よりもやや伸びた状態に保たれるが、人差し指Ｆ２が全く動けないようにするのではなく、可動角度θの範囲内で動かすことができるので、日常生活に大きな支障はなく、日常的に継続して使用することができる。なお、可動角度θは、指ホルダー１を装着した人により多少異なるが、一般的には約１０〜１５度である。
【００３９】
また、支持片３の屈曲片３２が手のひらの領域Ｆ７を手のひら側から手の甲側へ押圧するため、指ホルダー１は、手に確実に装着され、容易に離脱することはない。例えば、ウォーキングや日常的な家事などの軽度な動きであれば、装着した状態のまま行うことができる。
【００４０】
また、このように、指ホルダー１を日常的に装着することができるので、継続して首や肩の筋肉が緩むように働きかけることが可能となり、首や肩の筋肉が継続して緩んだ状態に保たれ、首や肩の凝りが解消されやすい。
【００４１】
ここで、人差し指Ｆ２の動きと肩や首の筋肉の関係について説明する。
人間の身体は、主に、骨格とこれを支える筋肉から形成されており、さらに筋肉は、筋膜によって包まれている。
【００４２】
この筋膜は、複数の筋肉を覆いながら、互いに連続している。一例として、肩や首から腕及び手にかけて連続した筋膜がある。このため、この筋膜を介して、手の指の動きにより、肩や首などの、手の指から離れた位置の部位に作用を及ぼすことができる。即ち、手の指を伸びた状態に保つことで、筋膜が緩み、これに伴って首や肩周辺の筋膜も緩み、結果として首や肩周辺の筋肉が緩み、肩凝りが解消される。このように、肩や首から離れた位置にある指の動きを利用して、筋肉が凝った部位である肩や首の凝りを解消することができる。
【００４３】
具体的には、人差し指Ｆ２を伸ばすと、手から腕にかけての筋膜（図示せず）が緩むと共に、肩や首の周辺の筋膜も緩むことで、これに伴って肩や首周辺の筋肉が緩み、肩や首の凝りが解消される。一方、人差し指Ｆ２を手のひら側へ曲げると、手から腕にかけての筋膜（図示せず）が引っ張られ、これに伴って筋肉が緊張するので、肩や首の凝りは解消されない。
【００４４】
また、人差し指Ｆ２を手のひら側に曲げると、腕が人差し指Ｆ２の動きに伴って内側に回転し、これに連動して肩が身体の前方に移動し、結果として背中が曲がった、いわゆる猫背の姿勢になる。猫背の姿勢は、首にかかる負担が増大し、首から肩にかけての血行不良を起こして筋肉の凝りが慢性化する。
【００４５】
一方、人差し指Ｆ２を伸ばした状態にすると、腕が人差し指Ｆ２の動きに伴って外側に回転し、これに伴って肩が身体の側面に移動する。これにより、胸を張りやすくなると共に、結果として背筋が伸びた、いわゆる正しい姿勢を保ちやすくなる。正しい姿勢を保つことができれば、肩や首回りに負担がかかることを抑制することができるので、肩や首の凝りは解消されやすくなる。
【００４６】
このように、人差し指Ｆ２を伸ばした状態を維持することで、筋膜を介して肩や首の筋肉を緩めることが出来ると共に、姿勢を強制し、猫背を矯正して、姿勢を正すこともできるので、肩凝りを充分に解消することができる。
【００４７】
〔第２の実施の形態〕
次に、手の指支持具の第２の実施の形態について図４を用いて説明する。
手の指支持具の一例である、二つの指ホルダー４Ａ、４Ｂは同一形状に形成されているが、便宜上４Ａ、４Ｂと分けて説明する。また、第１の実施の形態で説明した指ホルダー１と同一の形状については説明を省略する。
【００４８】
指ホルダー４Ａ、４Ｂは、それぞれ、指通し部の一例であり、略環状に形成され、指を挿通可能な挿通孔５０を有する本体５と、本体５の挿通孔５０の開口方向における一方側の縁の一部に設けられた支持片６から成る。
【００４９】
本体５は、装着時に手の指の背側に位置する上面部５１、手の指の腹側に位置する下面部５２、及び上面部５１の端部から下面部５２の端部にかけて設けられた側面部５３、５４から成り、上面部５１、下面部５２及び側面部５３、５４は、互いになだらかな曲面を形成しながら連続して設けられて、略環状に形成される。
【００５０】
また、指ホルダー４Ａの本体５には、側面５３の略中央に長手方向に沿って凸状の係合凸部５３ａが設けられ、側面５４の略中央に長手方向に沿って凹状の係合凹部５４ａが設けられている。また、指ホルダー４Ｂの本体５には、側面５３の略中央に長手方向に沿って凸状の係合凸部５３ｂが設けられ、側面５４の略中央に長手方向に沿って凹状の係合凹部５４ｂが設けられている。
【００５１】
図４に示すように、指ホルダー４Ｂの係合凸部５３ｂと、指ホルダー４Ａの係合凹部５４ａが係合することにより、二つの指ホルダー４Ａ、４Ｂは連結される。
【００５２】
仮に、指ホルダー４Ａ、４Ｂを連結せずに使用すると、装着時に、指ホルダー４Ａ、４Ｂが互いにずれてしまい、使いづらさを感じてしまう。本実施例のように、指ホルダー４Ａ、４Ｂを連結することで、二つの指ホルダー４Ａ、４Ｂを同時に利用する際、二つの指ホルダー４Ａ、４Ｂを互いに固定することができるので、違和感なく使用することができる。
【００５３】
〔第３の実施の形態〕
そして、手の指支持具の第３の実施の形態について図５を用いて説明する。
手の指支持具の一例である指サポータ７は、略円筒形状に形成された、手の指を挿通可能な、指通し部の一例である指用筒体８０を有し、手に装着可能な、装着体８と、装着体８内の、手の指の腹側の付け根に対応する部分から、手のひらにかけて設けられた、略長方形状の支持片９から成る。
【００５４】
本実施例においては、指用筒体８０は人差し指Ｆ２に対応する位置に設けられており、支持片９は人差し指Ｆ２の指の付け根付近から手のひらにかけた領域に配置される。
【００５５】
また、支持片９は硬質の合成樹脂製であることから、人差し指Ｆ２の第３関節は曲がりにくくなり、人差し指Ｆ２はほぼ伸びた状態に保たれる。このように、人差し指Ｆ２が伸ばされることで、手から腕にかけての筋膜が緩むと共に、肩から首の周辺の筋膜も緩み、これに伴って首や肩周辺の筋肉が緩み、首や肩の凝りが解消される。
【００５６】
次に、本発明の第３の実施の形態に係る指サポータ７の使用について説明する。
【００５７】
図５に示すように、指サポータ７の支持片９が装着時に人差し指Ｆ２の腹側に来るように、手Ｈを装着体８の挿入口８１から挿入させ、人差し指Ｆ２を指用筒体８０に挿通させる。これにより、支持片９が人差し指Ｆ２の腹側の付け根付近に配置されるので、人差し指Ｆ２の第３関節が手のひら側に曲がりにくくなり、人差し指Ｆ２は伸びた状態に保たれる。
【００５８】
また、剛性又は準剛性を有する支持片９により、人差し指Ｆ２は、人差し指Ｆ２を上下に動かした際に、所定の可動可能な範囲内でのみ動かすことができる。このため、日常的な動きであれば、支障なく行う事ができる。
【００５９】
また、指サポータ７は、手首Ｗから人差し指Ｆ２にかけて手全体を包むようにして装着されるので、確実に装着され、容易に離脱することはない。例えば、家事、ウォーキング或いはランニングなどの軽度な運動であれば、装着した状態のまま行うことができる。なお、手袋体８は布製や合皮など様々な種類の生地が考えられるが、指の第３関節での屈曲を充分に支持できる限度を以て伸縮性のある生地を用いれば、より手Ｈに密着するので、さらに確実に装着することができる。
【００６０】
また、このように、指サポータ７を日常的に装着することができるということは、継続して首や肩の筋肉が緩むように働きかけることが可能となるので、首や肩の筋肉が継続して緩んだ状態に保たれ、首や肩のこりが解消されやすい。
【００６１】
このように、本発明に係る手の指支持具は、筋肉が凝った状態の部位に直接刺激を与えることなく、筋肉が凝った状態の部位とは異なる部位の動きを制限することで、凝った筋肉を緩める場合において、日常生活において違和感なく継続して装着することができる手の指支持具となっている。
【符号の説明】
【００６２】
１      指ホルダー（手の指支持具）
２０    挿通孔（指通し部）
２２０  一方側の縁
３      支持片
３０    基片（基部）
３１    先端（先端部）
３２    屈曲片（屈曲部）
８      装着体
８０    指用筒体（指通し部）
９      支持片
Ｃ      中心線
Ｆ２    人差し指（手の指）
θ      傾斜角度
【図１】
2019206765.tif 000003
【図２】
2019206765.tif 000004
【図３】
2019206765.tif 000005
【図４】
2019206765.tif 000006
【図５】
2019206765.tif 000007